(57)【要約】      （修正有）【課題】ご老人や一人暮らしの状態になった人の体の、具合、病気、又引きこもり等で緊急に連絡が取れない場合の、緊急通報システム、で救護する側の立場になった時の、孤独死予防開錠装置を提供する。【解決手段】水道管メーター１以降の水道管４に孤独死予防装置２を直接巻きつけ、この装置２から異常信号が出た場合、ドアーの内側に開錠装置を取り付ける事で近隣の方が、異常ランプが点滅、又はブザーで気がつき、開錠装置が働き、玄関又は部屋が開錠し、緊急に入室する事が出来て応急処置また救急車等に連絡する事が出来、大事な命を助け、色々な処置が出来る。【選択図】図１
0003195779.tif 000002
【実用新案登録請求の範囲】
【請求項１】
（１）孤独死予防装置を個人所有側の水道官に直接巻きつけ密着させ、その装置が異常信号を出力した場合。内側ドアーに取り付けた開錠装置が動作し、部屋の中の内鍵が自ら動作、玄関、ドアーの鍵が開錠され、ドアーの外の緊急ブザーが鳴り、非常ランプが点滅、近隣の住人が気づき、玄関、ドアーが空き緊急に入室、応急処置又救急車に通報する事が出来る事を特徴とする。又外室する時は外の鍵をかければ、全機能が無効となる事ができる。
【請求項２】
（２）水道官以外の機器から貰った、異常信号で、開錠装置にプログラムされた、ＣＰＵを取り付け、玄関、ドアーの内側に取り付けた、開錠装置自ら動作、点滅異常ランプ、緊急ブザーで知らせ、緊急を要するで開錠される、玄関ドアーを開けて、近隣の住人が部屋入り、緊急に入室、応急処置又救急車に通報する事を特徴とする。又外室する時は外の鍵を、掛ければ、全機能が無効となる事ができる。
【考案の詳細な説明】
【技術分野】
【０００１】本考案は、現在社会問題に、なっている、ご老人や一人暮らしの状態になった人の体の、具合、病気、又引きこもり等で緊急に連絡が取れない場合の、緊急通報システム、で救護する側の立場になった時の、孤独死予防開錠装置に、関するものである。
【背景技術】
【０００２】安否情報又孤独死情報は人間の動きを赤外線等で感知する方法【０００３】安否情報又孤独死情報はドアの空締めで確認。【０００４】安否情報又孤独死情報は水道官メーターを利用して構成されている。
【先行技術文献】
【特許文献】
【０００５】
【特許文献２】特許公開２０１２−１５０７７３
【特許文献３】特許公開２００２−２７９５７４
【実用新案１】
登録実用新案第３１５４１２５
【非特許文献】
【カタログ１】
東京ガス  みまもーる
【カタログ２】
アマゾン  見守りくん  孤独死防止  安否確認センサ
【カタログ３】
アマゾン  株式会社ＬＩＢＥＲＯ一人暮らしドアセンサー基本セット
【考案の概要】
【考案が解決しようとする課題】
【０００６】人の動きを感知する赤外線装置は、緊急に知らせる事が出来るが、救助方法に問題、がある又ドアーの開け閉めで、感知する方法は、外室出来ない、ご老人や、引きこもり、病気等の理由がある人の場合は表に出られないので、感知出来ず課題が残る、又計測管理する水道メーターはシステムを構築しても、救助の方法に時間がかかる、難点がある、又見守るシステムでは安否を知らせる事は出来るが、緊急救助方法に問題がある。緊急なのに、一刻も早く知らせ、助けたくても近隣の住人は合鍵が無い、壊すか合鍵を待つか、玄関の鍵を開錠する事が出来ない、又近隣の方が緊急信号で気が、ついても、救助に時間がかかる等問題が有った、合鍵が無くても、近隣の住人が緊急に問題ある玄関を開け、部屋に入る方法で救助する事で、解決できないか。
【課題を解決するための手段】
【０００７】上記目的達成するために、本考案［請求項１］の構成要件で孤独死予防開錠装置を構成している。
【考案の効果】
【０００８】水道局所有の水道メーター以降の水道官自体に、直接センサー装置、図１の２を巻きつけ。開錠装置を内側のドア側に開錠装置、図４を設置する事で取り付けが簡単である。【０００９】人間の生存及び生活になくてはならぬ、大切な水を水道官に流れる音を感知させるセンサー、図３の１を利用することで、一定時間、図３の２のＣＰＵのプログラムで処理、断続的に水を使用しない時、又は水を出し放しの時は生活する上で何か異常が起きていると判断しなければならない。【００１０】緊急で一刻も早く助け出す、必要が在るので、ドア内側に装備された、開錠装置、図４が動作、ブザーランプ図４の１０が鳴り点滅非常ランプ図４の１１が点滅、近隣の住人が緊急異常に、気づき、合鍵が無くても開錠装置自ら図４の１が動作、近隣の住人が又は助ける側の人が玄関が開錠、部屋の中に入る事が出来、色々な緊急処置を行い、救急車等を呼ぶ事ができる。【００１１】外室出来る場合、鍵を外から、掛ければ開錠装置、図４が、動作しない様になる。【００１２】図４の開錠装置は、他の孤独死安否情報装置等の信号を貰えれば、開錠装置の符号図４符号１２、の基盤にＣＰＵを取る付ける事により、自ら動作する事が出来る。
【図面の簡単な説明】
【図１】家の中の蛇口までの水道官全体の断面図。
【図２】ＣＰＵのプログラムで設定変更出来る、動作ラダー図の回路図面。
【図３】孤独死予防装置を、水道官に取り付けた、装置の斜視図。
【図４】玄関の内側に取り付けた開錠装置、緊急ブザー、点滅緊急ランプ、の平面図。
【考案を実施するための形態】
【実施例１】
【００１３】図１、は水道官全体の断面図。図面３が水道官に巻きつけ取り付けた装置で、センサー、アンプ、ＣＰＵ、有線、無線、信号発信機、の斜視図です、水道官に流れる水の音をセンサーで感知しその微信号をアンプで処理し、図２はラダー図面。設計設定はプログラミングされたＣＰＵを取り付ける。又パソコンを現場に持って行かなくても、予めプログラミングした、ＣＰＵを差し替えれば簡単に設計変更出来る。図面３符号２のＣＰＵで処理し、水が流れ放しの場合も時間が来ると、異常信号が出る。又断続的に水を使用した場合異常信号までの時間がリセットする。又図３の符号６に、ボタンを押して、異常信号が出るようにする。結果を送信器、有線か無線を使用。図３の符号３を接続して、そのボタンで、その信号を送信し、図面４符号１０及び１１で点滅異常ランプや、ブザー等で知らせる又緊急、異常信号を、内側ドア開錠装置自ら、ロータリーソレノイド。電動アクチェター図面４の符号１が、動作し、助ける人が部屋入に入れる様にドアー内側のロック、つまみ図４の符号２が動作、開錠動作し近隣の方等が、入室出来、応急処置、救急車等へ連絡する事ができる。又外室する時は外の鍵をかければ、全機能が無効となる事ができる。
【実施例２】水道官以外の機器からもらった、異常信号で、開錠装置にプログラムされた、図４の１２のＣＰＵを取り付ける事により，ドアー開錠装置図面４の符号１０及び１１で点滅異常ランプや、ブザーが鳴り、開錠装置自ら動作、図面４の符号１２のＣＰＵが働き図面４の１のロータリーソレノイド。電動アクチェターが働き、緊急を要するので開錠出来る。又外室する時は外の鍵をかければ、全機能が無効となる事ができる。
【符号の説明】［図１］
Ａ    水道局所有側。
Ｂ    個人所有側。
１    水道局所有水道メーター。
２    本考案の個人側所有の水道官に巻き付けるセンサー、アンプ、ＣＰＵ、信号発信装置。
３    蛇口。
４    水道官。
５    地中水道メーター箱。
［図２］
ＣＰＵのプログラムラダー図。
１    水の流れる音を感知する、入力信号。
２    非常時手動入力信号。
３    リセット入力信号。
４    外室する時のロック信号。
５    玄関のドアーロック解除する時の入力信号。
６    危険、異常、の出力信号。
［図３］
１    センサーアンプ。
２    ＣＰＵ。
３    有線か無線の信号出力器。
４    水道メーター以降の水道官と孤独死予防装置巻き付ける結束バンド。
５    電池。電源。
６    非常時入力端子。
７    内側に引き込まれた水道官。
［図４］
１    電動アクチュエーター。
２    既存の玄関、ドアーのロックつまみ。
３    電動アクチュエーターのカバー。
４    電池、電源。
５    既存の玄関ドアーの内側のロックつまみ、と連結する、カップリング。
６    本体側のカバー。
７    ドアーに取り付ける螺子。
８    本体側のカバーに取り付ける止め螺子。
９    信号受け取り基盤。
１０  非常ブザー。
１１  非常点滅ランプ。
１２  他の機器から、貰った信号の場合のＣＰＵ。
１３  玄関、ドアー。
【図１】
0003195779.tif 000003
【図２】
0003195779.tif 000004
【図３】
0003195779.tif 000005
【図４】
0003195779.tif 000006
【手続補正書】
【提出日】平成26年10月30日(2014.10.30)
【手続補正１】
【補正対象書類名】実用新案登録請求の範囲
【補正対象項目名】全文
【補正方法】変更
【補正の内容】
【実用新案登録請求の範囲】
【請求項１】
水道管に孤独死予防装置本体を巻き付ける結束バンド、センサー、信号出力器を備えた孤独死予防装置と、センサーに基づく前記信号出力器からの異常信号を受け取り、開錠動作を行う電動アクチュエーターを備えた開錠装置と、からなる孤独死予防開錠装置。
【請求項２】
前記孤独死予防装置本体は、水道管以外の場所に取り付け可能としたことを特徴とする、請求項１に記載の開錠措置。